(57)【要約】      （修正有）【課題】顔にフィットし、マスクの気密性を確保するマスク支持具を提供する。【解決手段】マスク支持具１０は、口や鼻を覆ってから外側を平面式マスクで被覆可能かつ凸多角形状の形状である支持フレーム１２と、気密ユニット１４とを備える。支持フレーム１２は、環状フレームと、環状フレームの片側に接するとともに口や鼻との間に空間を確保して外側をマスクで被覆可能なシェル部とを有する。気密ユニット１４は、環状フレームの外側に設けられ、顔にフィットし、マスクの気密性を確保するように設けられる。【選択図】図１
0003226969.tif 000002
【実用新案登録請求の範囲】
【請求項１】
環状フレームと、前記環状フレームの片側に接するとともに口や鼻との間に空間を確保して外側をマスクで被覆可能なシェル部とを有し、口や鼻を覆ってから外側をマスクで被覆可能かつ凸多角形の形状である支持フレームと、
前記環状フレームの外側に設けられ、顔にフィットし、マスクの気密性を確保するように設けられる気密ユニットとを備えることを特徴とするマスク支持具。
【請求項２】
前記シェル部は、複数のスティックでつながれてなり、
各前記スティックの間には、複数の開口部が設けられることを特徴とする請求項１に記載のマスク支持具。
【請求項３】
前記気密ユニットは、柔軟性を有し、突き当て部と、延伸部とを有し、
前記突き当て部は、前記環状フレームの外側にあり、顔にフィットするように設けられ、
前記延伸部は、前記突き当て部の片側から前記シェル部の側に突き出され、前記シェル部の一部又は全部を覆って、マスクの縁部を被覆するように設けられることを特徴とする請求項１又は２に記載のマスク支持具。
【請求項４】
シェル体を更に備え、
前記シェル体は、メッシュ形の形状に設けられ、外に突き出た複数のフックを有し、
各前記フックは、前記環状フレームの内側に向けて折り曲げられて嵌着されることで、前記シェル体を前記支持フレームの前記環状フレームに取り付け可能に設けられ、
前記シェル体と前記支持フレームとの間には、一枚のフィルターシートが挟持されることを特徴とする請求項３に記載のマスク支持具。
【考案の詳細な説明】
【技術分野】
【０００１】
本考案は、マスクに関し、詳しくは、マスク支持具に関する。
【背景技術】
【０００２】
従来のマスクは、大きく平面式と立体式の二タイプに分けられる。平面式マスクは、不織布などのフィルター材を貼り合わせ、又はその他の生地で織られるものであり、使用時は、生地を口や鼻に接触させずに着用する立体式マスクに対し、口や鼻を直接覆うように用いるものである。
【０００３】
付け心地から言えば、生地が口や鼻に接触しない立体式マスクの方が付け心地がよいが、平面式マスクは製造コストが比較的低いため、立体式マスクより使用量が多い。
しかし、平面式マスクを着用すると、ユーザの飛沫がマスクに飛散して、口や鼻からの飛沫感染が発生する可能性があること、女性が化粧をしているときに、口紅を塗ってからマスクをする場合、口や鼻を直接覆う平面式マスクは、口紅がベタついたり、落ちたりする可能性があることなどから、比較的着用には向かない。それに対し、立体式マスクを着用する場合、そのような問題がない。
【０００４】
それゆえ、上述した平面式マスクと立体式マスクそれぞれの欠点を解決するため、考案者は、長年に亘る開発経験を生かして、本考案のマスク支持具を考案した。
【考案の概要】
【考案が解決しようとする課題】
【０００５】
本考案は、平面式マスクを支持するように設けられるものであって、マスクを口や鼻に接触させないようにして呼吸がスムーズに行われるスペースを作ることで、メイクや口紅がついたり、メイク崩れを生じさせたりせずに、平面式マスク着用時の付け心地を高め、かつ立体式マスクの使用効果を果たすように設けられ、また洗って再利用するだけでよく、または新品の平面式マスクに交換するなどして続けて使用可能なマスク支持具、とても実用的価値があるマスク支持具を提供することを目的とする。
【課題を解決するための手段】
【０００６】
上述した目的を達成するため、本考案のマスク支持具は、
環状フレームと、前記環状フレームの片側に接するとともに口や鼻との間に空間を確保して外側をマスクで被覆可能なシェル部とを有し、口や鼻を覆ってから外側をマスクで被覆可能かつ凸多角形の形状である支持フレームと、
前記環状フレームの外側に設けられ、顔にフィットし、マスクの気密性を確保するように設けられる気密ユニットとを備えることを特徴とする。
【図面の簡単な説明】
【０００７】
【図１】本考案の好適な実施例１を示す斜視図。
【図２】本考案の好適な実施例１を示す側面図。
【図３】本考案の好適な実施例１を示す後面図。
【図４】本考案の好適な実施例１の使用状態を示す模式的側面図。
【図５】本考案の好適な実施例２を示す側面断面図。
【図６】本考案の好適な実施例２の使用状態を示す模式的前面図。
【考案を実施するための形態】
【０００８】
以下、本考案の幾つかの好適な実施例について、図面を用いて、更に詳しく説明する。
【実施例】
【０００９】
（好適な実施例１）
図１〜図３に示すように、本考案の好適な実施例１のマスク支持具10は、支持フレーム12と、気密ユニット14とを備えるものである。
【００１０】
前記支持フレーム12は、プラスチックなどのフレキシブルな材料で作られ、凸多角形に近い形状に成形され、環状フレーム22と、環状フレーム22の片側に接して一体化されたシェル部24とを備える。前記シェル部24は、複数のスティック241でつながれてなり、各スティック241の間には、通気を良くするための複数の開口部242が設けられる。
【００１１】
前記気密ユニット14、シリコン又は布などの柔軟性を有する材料で作られ、突き当て部42と、延伸部44とを有する。前記突き当て部42は、環状フレーム22の外側にあり、顔にフィットするように設けられる。前記延伸部44は、突き当て部42の片側から、シェル部24へと延びて、シェル部24の一部を覆うように設けられる。
【００１２】
本考案の前記マスク支持具10は、マスク装着時の部品として用いられる。その使用方法や特色について、以下に説明する。
【００１３】
図４に示すように、ユーザは、従来知られている平面式マスク1を装着するとき、前記支持具10を気密ユニット14で顔にフィットするように、平面式マスク1を口や鼻との間につけ、延伸部44が前記平面式マスク1の縁部を被覆する。そうすると、前記マスク1は、前記支持具10に支持されるため、直接ユーザの口や鼻に当たらず、従来知られている立体式マスクの使用効果を果たすとともに、前記平面式マスク1着用時の付け心地を高める。また、ユーザの飛沫がマスクに飛散せず、口や鼻からの飛沫感染を防ぐことができる。
【００１４】
前記支持具10では、突き当て部42は、顔にフィットし、延伸部44は、前記平面式マスク1の縁部に覆われるように設けられる。これにより、前記平面式マスク1装着の気密性を確保することができる。また、前記延伸部44の先端部はやや上向きで、適当な長さで突き出されており、メガネを掛けている者は、前記支持具10をマスク装着につけるとき、メガネを、前記延伸部44を押さえるように掛けて、前記支持具10を固定することでサポートできる。
【００１５】
前記平面式マスク1を使って捨てたあと、前記支持具10は、新しい平面式マスクなど、口・鼻を覆う物（例えば防風防寒ヘッドウェア、自転車フェースマスクなど）を用いて、続けて用いられる。
【００１６】
本考案の前記支持具10の気密ユニット14は、上述の形態に限らない。シェル部を完全に覆うように設けられてもよい。
【００１７】
（好適な実施例２）
図５に示すのは、本考案の好適な実施例２のマスク支持具50である。前記支持具10とほぼ同じ構成をなしており、同じ部品は同じ記号で示すが、相違するところは、シェル体52を更に備えるところにある。
前記シェル体52は、メッシュ形に近い形状に設けられ、外に突き出た複数のフック54を有し、前記フック54は、前記環状フレームの内側に向けて折り曲げられて嵌着されることで、前記支持フレーム12の前記環状フレーム22前記シェル体52を前記支持フレーム12の前記環状フレームに取り付け可能に設けられ、前記シェル体52と前記支持フレーム12との間には、一枚のフィルターシート58（例えばPM2.5フィルターシート、医療用マスク用静電フィルターシートなど）を入れて挟持するための収納スペース56が設けられる。
そこで、前記マスク支持具50は、上述したように前記平面式マスク1を用いて使用され、前記平面式マスク1に立体式マスクの効果を持つと同時に、前記フィルターシート58の増設により、大気中に浮遊している有害な微小粒子状物質や細菌、ウィルスを遮断する効果を持つ。
【００１８】
図６に示すように、前記マスク支持具50は更に、従来知られている別の平面式マスク2又は布マスクカバーに入れるように設けられてもよい。前記平面式マスク2の片側又は片側の縁（上側縁、底側縁）には、マスク支持具50を入れるための開口3が設けられる。前記マスク支持具50の使用により、前記平面式マスク2に上述の効果を持たせるように設けられる。
【００１９】
上述の内容から分かるように、本考案のマスク支持具は、平面式マスクを装着時、これを支持するように設けられ、立体式マスク装着時のように、口や鼻に当たらず、平面式マスクの付け心地を高め、ユーザの飛沫がマスクに飛散することによる口や鼻からの飛沫感染を防止できること、メイク崩れや口紅が落ちてしまうことがなく、気密性が高いこと、使用後、きれいに洗ってから再使用できるため交換不要であり、繰り返し使えること、交換用の新品の平面式マスクを用いて、続けて使用可能なことなど、とても実用的価値が高い。
【符号の説明】
【００２０】
1, 2   平面式マスク
3      開口
10,50   マスク支持具
12      支持フレーム
14      気密ユニット
22      環状フレーム
24      シェル部
241     スティック
242     開口部
42      突き当て部
44      延伸部
52      シェル体
54      フック
56      収納スペース
58      フィルターシート
【図１】
0003226969.tif 000003
【図２】
0003226969.tif 000004
【図３】
0003226969.tif 000005
【図４】
0003226969.tif 000006
【図５】
0003226969.tif 000007
【図６】
0003226969.tif 000008